(57)【要約】【課題】非発光の透過型ディスプレイを用いる画像表示装置において、外部の輝度計を用いることなく、表面反射輝度、最高輝度や最低輝度の測定を行うことができる光測定方法、および、これを利用する画像表示装置を提供する。【解決手段】非発光の透過型ディスプレイと、ディスプレイの非観察面にバックライトを入射するバックライトとを有する画像表示装置の光測定であって、バックライトに光センサを配置して、ディスプレイに入射した外光を測定する際には、ディスプレイを所定の透過状態、バックライトを消灯状態として、光センサによって測定を行い、バックライトの測定を行う際には、ディスプレイを最小透過状態、バックライトを点灯状態として、光センサによって測定を行うことにより、前記課題を解決する。【選択図】図１
2004240260.tif 000002
【特許請求の範囲】
【請求項１】
非発光の透過型ディスプレイと、前記透過型ディスプレイが表示した画像を観察するために、前記透過型ディスプレイの非観察面にバックライトを入射するバックライトユニットとを有する画像表示装置の光測定であって、
前記バックライトユニットに光センサを配置して、前記透過型ディスプレイに入射した外光の測定を行う際には、前記透過型ディスプレイを所定の透過状態、バックライトユニットを消灯状態として、前記光センサによって測定を行い、前記バックライトの測定を行う際には、前記透過型ディスプレイを最小透過状態、バックライトユニットを点灯状態として、前記光センサによって測定を行うことを特徴とする光測定方法。
【請求項２】
前記所定の透過状態が、最大透過状態である請求項１に記載の光測定方法。
【請求項３】
前記透過型ディスプレイが液晶ディスプレイである請求項１または２に記載の光測定方法。
【請求項４】
予め、暗室下における前記画像表示装置の最高輝度と前記バックライト測定結果との関係、ならびに、暗室下における前記画像表示装置の最低輝度と前記バックライトの測定結果との関係を知見しておき、前記光センサによるバックライトの測定結果から、前記画像表示装置の最高輝度および最低輝度を検出する請求項１〜３のいずれかに記載の光測定方法。
【請求項５】
予め、前記画像表示装置の表面反射輝度と前記外光の測定結果との関係を知見しておき、前記光センサによる外光の測定結果から、前記画像表示装置の表面反射輝度を検出する請求項１〜４のいずれかに記載の光測定方法。
【請求項６】
非発光の透過型ディスプレイと、
前記透過型ディスプレイが表示した画像を観察するために、前記透過型ディスプレイの非観察面にバックライトを入射するバックライトユニットと、
前記透過型ディスプレイの有効画素領域に対応して、前記バックライトユニットに配置される光センサと、
前記光センサで外光を測定する際に、前記透過型ディスプレイを所定の透過状態としてバックライトユニットを消灯し、前記光センサでバックライトを測定する際に、前記透過型ディスプレイを最小透過状態として、バックライトユニットを点灯する、制御手段とを有することを特徴とする画像表示装置。
【請求項７】
前記所定の透過状態が、最大透過状態である請求項６に記載の光測定方法。
【発明の詳細な説明】
【０００１】
【発明の属する技術分野】
本発明は、液晶ディスプレイ等の非発光の透過型ディスプレイを用いる画像表示の技術分野に属し、詳しくは、外光やバックライトの測定を、容易に行うことができる光測定方法、および、これを実施する画像表示装置に関する。
【０００２】
【従来の技術】
ＭＲＩ診断装置、Ｘ線診断装置、ＦＣＲ（富士コンピューテッドラジオグラフィー）等の医療用測定装置で撮影された診断画像は、通常、Ｘ線フィルムやフィルム感光材料等の光透過性の画像記録フィルムに記録され、光透過性の画像として再生される。この診断画像が再生されたフィルムは、シャーカステンと呼ばれる光源装置にセットされて、背面から光を照射された状態で観察され、診断が行われる。
これに対して、近年では、医療用測定装置で撮影した診断画像をＣＲＴ（Ｃａｔｈｏｄｅ  Ｒａｙ  Ｔｕｂｅ）やＬＣＤ（液晶表示装置）などのディスプレイに表示して、観察／診断することが行われている（電子シャーカステン）。
【０００３】
フィルムに再生した画像を用いて診断を行う場合には、言うなれば画像は固定されたものであり、シャーカステンの輝度や観察環境による若干の違いは有するものの、基本的に、同じ画像を観察して診断を行うことができる。
しかしながら、ディスプレイ画像を用いて診断（以下、ディスプレイ診断とする）を行う場合には、固定されているのは画像データであって、表示画像すなわち診断画像は、ディスプレイの種類や状態、経時的な変動等によって変わってしまう。このような画像の違いは、誤診の原因とも成り得る重大な問題である。そのため、ディスプレイ診断を行う場合には、ディスプレイの状態を適正に保つための品質管理（ＱＣ）が重要である。
【０００４】
【発明が解決しようとする課題】
ディスプレイの品質管理においては、観察条件、（輝度）階調特性、空間解像度、幾何学寸法等の様々な試験項目が設定されるが、これらの試験を実施するための重要な測定として、ディスプレイの最高輝度や最低輝度、周囲光によるディスプレイの表面反射輝度などの輝度測定が挙げられる。
【０００５】
このような輝度測定を行うためには、外部の輝度計を用いる必要があり、測定に手間がかかる。特に、高精度な輝度測定を行うためには、望遠輝度計を用いる必要があるが、望遠輝度計は高価であり、かつ、取り扱いにも手間がかかる。また、簡易な輝度測定を行える輝度計として、接触型の輝度計が知られているが、周知のように、ＬＣＤでは画像表示面に力がかかると、表示画像が変動してしまうため、接触型輝度計では適正な輝度測定を行うことができない。
さらに、ＤＩＣＯＭ（医療用画像データや波形データ等の伝送規格）に準拠して品質管理を行う場合には、観察条件における表面反射輝度の測定を望遠輝度計で測定する必要がある。
そのため、ディスプレイの品質管理作業が煩雑であるという問題点がある。
【０００６】
本発明の目的は、前記従来技術の問題点を解決することにあり、ＬＣＤ等の非発光の透過型ディスプレイを用いる画像表示装置において、外部の輝度計を用いることなく、簡便に表面反射輝度、最高輝度や最低輝度の測定を行うことができ、ディスプレイの品質管理（ＱＣ）の作業性を大幅に向上できる光測定方法、および、この光測定方法を実施する画像表示装置を提供することにある。
【０００７】
【課題を解決するための手段】
前記目的を達成するために、本発明の光測定方法は、非発光の透過型ディスプレイと、前記透過型ディスプレイが表示した画像を観察するために、前記透過型ディスプレイの非観察面にバックライトを入射するバックライトユニットとを有する画像表示装置の光測定であって、前記バックライトユニットに光センサを配置して、前記透過型ディスプレイに入射した外光の測定を行う際には、前記透過型ディスプレイを所定の透過状態、バックライトユニットを消灯状態として、前記光センサによって測定を行い、前記バックライトの測定を行う際には、前記透過型ディスプレイを最小透過状態、バックライトユニットを点灯状態として、前記光センサによって測定を行うことを特徴とする光測定方法を提供する。
【０００８】
本発明の画像表示装置は、非発光の透過型ディスプレイと、前記透過型ディスプレイが表示した画像を観察するために、前記透過型ディスプレイの非観察面にバックライトを入射するバックライトユニットと、前記透過型ディスプレイの有効画素領域に対応して、前記バックライトユニットに配置される光センサと、前記光センサで外光を測定する際に、前記透過型ディスプレイを所定の透過状態としてバックライトユニットを消灯し、前記光センサでバックライトを測定する際に、前記透過型ディスプレイを最小透過状態として、バックライトユニットを点灯する、制御手段とを有することを特徴とする画像表示装置を提供する。
【０００９】
このような本発明において、前記所定の透過状態が最大透過状態であるのが好ましく、また、前記透過型ディスプレイが液晶ディスプレイであるのが好ましく、また、予め、暗室下における前記画像表示装置の最高輝度と前記バックライト測定結果との関係、ならびに、暗室下における前記画像表示装置の最低輝度と前記バックライトの測定結果との関係を知見しておき、前記光センサによるバックライトの測定結果から、前記画像表示装置の最高輝度および最低輝度を検出するのが好ましく、さらに、予め、前記画像表示装置の表面反射輝度と前記外光の測定結果との関係を知見しておき、前記光センサによる外光の測定結果から、前記画像表示装置の表面反射輝度を検出するのが好ましい。
【００１０】
【発明の実施の形態】
以下、本発明の光測定方法および画像表示装置について、添付の図面に示される好適実施例を基に、詳細に説明する。
【００１１】
図１に、本発明の光測定方法を実施する、本発明の画像表示装置の一例の概念図を示す。
図示例の画像表示装置１０（以下、表示装置１０とする）は、ＬＣＤ（液晶ディスプレイ）を用いる画像表示装置で、基本的に、ＬＣＤ１２と、バックライトユニット１４と、ＬＣＤドライバ１６と、光源ドライバ１８と、階調補正部２０と、制御部２２とを有して構成される。
また、バックライトユニット１４には、光センサ２４が配置される。
【００１２】
図示例において、ＬＣＤ１２は、いわゆる透過型の液晶表示装置に用いられる公知のＬＣＤ（ＬＣＤパネル）で、図示例においては、一例としてモノクロの液晶ディスプレイである。
なお、本発明において、ＬＣＤ１２は、カラーでもモノクロでもよく、液晶の種類、液晶セル、ＴＦＴ（Ｔｉｎ  Ｆｉｌｍ  Ｔｒａｎｓｉｓｔｅｒ）などの駆動手段（スイッチング素子）、ブラックマトリクス（ＢＭ）等にも特に限定はない。なお、後述するが、本発明によれば、簡易な作業で、表面反射輝度や、最高輝度および最低輝度の測定を行うことができるので、医療用のディスプレイ（画像表示装置）、特に、医療用のモノクロディスプレイに好適であり、従って、ＬＣＤ１２としては、モノクロのＬＣＤが好ましい。
動作モードも、ＴＮ（Ｔｗｉｓｔｅｄ  Ｎｅｍａｔｉｃ）  モード、ＳＴＮ（Ｓｕｐｅｒ  Ｔｗｉｓｔｅｄ  Ｎｅｍａｔｉｃ）  モード、ＥＣＢ（Ｅｌｅｃｔｒｉｃａｌｌｙ  Ｃｏｎｔｒｏｌｌｅｄ  Ｂｉｒｅｆｒｉｎｇｅｎｃｅ）  モード、ＩＰＳ（Ｉｎ−Ｐｌａｎｅ  Ｓｗｉｃｈｉｎｇ）  モード、マルチドメインＩＰＳモード、ＭＶＡ（Ｍｕｌｔｉｄｏｍａｏｉｎ  Ｖｅｒｔｉｃａｌ  Ａｌｉｇｎｅｍｅｎｔ）モード等の全ての動作モードが利用可能である。
【００１３】
なお、本発明は、ＬＣＤを利用する画像表示に限定はされず、非発光で、透過型の（フラットパネル）ディスプレイであれば、エレクトロクロミックディスプレイ（ｅｌｅｃｔｒｏｃｈｏｒｏｍｉｃ  ｄｉｓｐａｙ  ：ＥＣＤ）  等、公知のディスプレイが各種利用可能である。
【００１４】
図示例の表示装置１０において、ＬＣＤ１２による表示画像の画像データＲは、階調補正部（ＬＵＴ）２０に供給される。
階調補正部２０は、（輝度階調）キャリブレーションによって作成（更新）された階調補正ＬＵＴ（ルックアップテーブル）によって、画像データＲを補正して、所定の（輝度）階調特性の画像に対応する画像データとする部位である。
図示例においては、一例として、階調補正部２０は、表示画像がＤＩＣＯＭ（Ｄｉｇｉｔａｌ  Ｉｍａｇｉｎｇ  ａｎｄ  Ｃｏｍｍｕｎｉｃａｔｉｏｎ  ｉｎ  Ｍｅｄｉｃｉｎｅ「医療用画像データや波形データ等の伝送規格」）のＧＳＤＦ（Ｇｒａｙｓｃａｌｅ  Ｓｔａｎｄａｒｄ  Ｄｉｓｐｌａｙ  Ｆｕｎｃｔｉｏｎ「グレースケール標準表示関数」）に対応する階調特性の画像となるように、供給された画像データＲを補正する。
【００１５】
階調補正部２０で補正された画像データは、次いで、ＬＣＤドライバ１６に供給される。
ＬＣＤドライバ１６は、階調補正部２０から供給された画像データを、ＬＣＤ１２に対応する駆動信号に変換して、ＬＣＤ１２に送る。
【００１６】
バックライトユニット１４は、ＬＣＤ１２が表示した画像を観察するためのバックライトを、ＬＣＤ１２の非観察面に入射するものである。
バックライトユニット１４も、いわゆる透過型の液晶表示装置に用いられる公知のサイドライト方式のバックライトユニットで、光源２６（２６ａおよび２６ｂ）と、光源２６が出射した光をバックライトとしてＬＣＤ１２の非観察面に入射させるアクリル板等の導光板２８とを有して構成される。また、光源２６は、光源ドライバ１８によって点灯／消灯される。
【００１７】
なお、本発明において、バックライトユニットは、図示例のようなサイドライト方式に限定はされず、ＬＣＤパネル１２の非表示面に対面して光源を配置して、ＬＣＤパネル１２に直接的にバックライトを入射する直下型のバックライトユニットであってもよいのは、もちろんである。
【００１８】
図示例において、バックライトユニット１４の導光板２８の裏面（ＬＣＤ１２へのバックライト入射面の逆面）には、光センサ２４が配置される。
光センサ２４は、フォトダイオード等の公知の光センサで、ＬＣＤ１２（画像表示装置）に入射した外光や、バックライトを測定する。
光センサ２４による測定結果（出力信号）は、アンプ３０で増幅され、Ａ／Ｄ変換器３２でデジタル信号に変換されて、制御部２２に供給される。
【００１９】
なお、バックライトと外光とでは強度が大幅に異なるので、同じ条件で検出すると、出力の飽和、もしくは、十分な出力信号が得られない可能性が高い。
そのため、本発明においては、バックライト測定と外光測定とで、アンプ３０（あるいは他の部位）において、光検出のゲインを切り換えるようにするのが好ましい。
【００２０】
光センサ２４の配置位置には、特に限定はなく、バックライトユニット１４に配置され、かつ、使用する光センサ２４の種類や構成に応じて、ＬＣＤ１２に入射した外光、および、バックライトが受光できる位置を、適宜、決定すればよい。好ましくは、ＬＣＤ１２の非観察面の有効画素領域に光学的に直に対面する位置、もしくは、バックライトユニットの側壁（観察方向と直交する方向の壁）に配置される。
【００２１】
制御部２２は、ＣＰＵ等を有して構成されるものであり、ＬＣＤドライバ１６、光源ドライバ１８等を含め、表示装置１０の各部位の動作の制御や、キャリブレーションによる階調補正ＬＵＴの作成（更新）等を行う。
【００２２】
また、制御部２２は、光センサ２４によってＬＣＤ１２（表示装置１０）に入射した外光を測定する際には、ＬＣＤドライバ１６および光源ドライバ１８に作用して、ＬＣＤ１２の表示を有効画素領域の全域が最高輝度（液晶が最大に光を透過する状態）となる状態（以下、この状態を「白表示」、逆の最低輝度表示状態を「黒表示」とする）として、バックライトユニット１４の光源２６をｏｆｆにする（以下、バックライトｏｆｆとする）。
ＬＣＤ１２を白表示、バックライトｏｆｆにすれば、入射した外光はＬＣＤ１２を透過し、かつ、バックライトユニット１４に配置される光センサ２４には、この透過した外光のみが入射する。また、この際には、光センサ２４の出力は、当然、ＬＣＤ１２に入射した外光の光量に比例して大きくなる。従って、これにより、ＬＣＤ１２に入射した外光を適正に測定することができる。
【００２３】
なお、図示例においては、最も良好な効率で測定を行うことができる好ましい態様として、外光の測定を、白表示（最大（光）透過状態）で行う。
しかしながら、本発明は、これに限定はされず、後述する、照度Ｅ（ＬＣＤ１２に入射する外光）と光センサ２４の出力信号ｘとの関係を調べる際におけるＬＣＤ１２の透過状態（ＬＣＤ１２の画像表示）と一致していれば、外光測定時におけるＬＣＤ１２の透過状態は、例えば中間階調など、各種の透過状態が利用可能である。
【００２４】
さらに、制御部２２は、光センサ２４によってバックライトを測定する際には、同様に、ＬＣＤ１２の表示を黒表示、バックライトｏｎにする。
ＬＣＤ１２を黒表示、バックライトｏｎにすれば、外光を最大限に遮光した状態で、バックライトのみが光センサ２４に入射し、同様に、当然、光センサ２４の出力はバックライトの光量に応じて大きくなる。従って、これにより、表示装置１０のバックライトを適正に測定することができる。
【００２５】
図示例の表示装置１０においては、このような外光の測定によって、ＬＣＤ１２（画像観察面）の表面反射輝度を検出し、また、バックライトの測定によって、表示装置１０の最高輝度および最低輝度を検出する。
以下、この外光の測定による表面反射輝度検出、および、バックライトの測定による最高輝度および最低輝度検出、ならびに、その際における制御部２２の作用を説明することにより、本発明の光測定方法および表示装置１０について、より詳細に説明する。
【００２６】
外光の測定によって表面反射輝度を検出するために、予め、望遠輝度計と照度計とを用いて、ＬＣＤ１２に入射する外光の照度Ｅ［ｌｘ］と表面反射輝度Ｌａｍｂ  ［ｃｄ／ｍ２  ］との関係、および、同照度Ｅと光センサ２４の出力信号ｘ（デジタルデータ）との関係を調べる。
【００２７】
照度Ｅと表面反射輝度Ｌａｍｂ  との関係を調べる際には、制御部２２がＬＣＤドライバ１６および光源ドライバ１８に作用して（以下、制御部２２の作用は省略する）、ＬＣＤ１２を黒表示、バックライトｏｆｆとし、ＬＣＤ１２の表面に照度計を配置して、ＬＣＤパネル１２の表面における外光の照度Ｅを測定し、かつ、その際におけるＬＣＤパネル１２の表面反射輝度Ｌａｍｂ  を望遠輝度計で測定する。これを様々な光量の照明下で行い、照度Ｅと表面反射輝度Ｌａｍｂ  との関係を得る。
両者の関係は、拡散反射係数ρを用いて、「Ｌａｍｂ  ＝ρＥ」で示され、すなわち、表面反射輝度Ｌａｍｂ  は、照度Ｅに比例して大きくなる。
【００２８】
一方、照度Ｅと光センサ２４の出力信号ｘとの関係を調べる際には、ＬＣＤ１２を白表示、バックライトｏｆｆとし、同様にしてＬＣＤ１２の表面の照度Ｅを測定し、かつ、その際の外光を光センサ２４で測定する。これを様々な光量の照明下で行い、照度Ｅと光センサ２４の出力信号ｘとの関係を得る。
前述のように、白表示かつバックライトｏｆｆでは、光センサ２４の出力信号ｘは、ＬＣＤ１２に入射する外光＝照度Ｅに比例して大きくなる。この比例定数をｋ１  とすると、外光の照度Ｅと出力信号ｘとの関係は、「ｘ＝ｋ１  Ｅ」で示すことができる。
【００２９】
なお、前述のように、本例では、外光の照度Ｅと出力信号ｘとの関係の測定、および、外光の測定を、最も効率が良好な好ましい態様として白表示で行うが、本発明はこれに限定はされず、適宜、決定した所定のＬＣＤ１２の（光）透過状態で行えばよい。
【００３０】
表面反射輝度Ｌａｍｂ  は「Ｌａｍｂ  ＝ρＥ」で示され、外光の照度Ｅに比例して大きくなる。また、光センサ２４の出力信号ｘも、「ｘ＝ｋ１  Ｅ」で、外光の照度Ｅに比例して大きくなる。従って、表面反射輝度Ｌａｍｂ  と光センサ２４の出力信号ｘも、比例関係にある。
すなわち、「Ｅ＝ｘ／ｋ１  ＝Ｌａｍｂ  ／ρ」であるので「ｘ＝Ｌａｍｂ  ｋ１  ／ρ」となり、「Ｌａｍｂ  ＝（ρ／ｋ１  ）ｘ」となる。（ρ／ｋ１  ）をｋ２  とすれば、図２（Ａ）に示されるように「Ｌａｍｂ  ＝ｋ２  ｘ」となる。
【００３１】
従って、予め、図２（Ａ）の関係や、比例定数ｋ２  （以下、反射輝度係数ｋ２  とする）を調べておき、前述のようにＬＣＤ１２を白表示、バックライトｏｆｆとして光センサ２４によって外光を測定することにより、この測定結果すなわち光センサ２４の出力信号ｘから、ＬＣＤパネル１２の表面反射輝度Ｌａｍｂ  を測定することができる。
【００３２】
他方、前述のバックライトの測定によって、表示装置１０の最高輝度および最低輝度を検出するために、予め、望遠輝度計を用いて、最高輝度および最低輝度と、光センサ２４によるバックライトの測定結果との関係を調べる。
この関係を調べる際には、暗室下において、バックライトｏｎの状態で光センサ２４の出力信号ｙを測定し、また、このバックライト輝度における、黒表示の際の表示装置１０の表示輝度（最低輝度Ｌｍｉｎ  ）、および、白表示の際の表示装置１０の表示輝度（最高輝度Ｌｍａｘ  ）を望遠輝度計で測定する。この測定を、様々なバックライト輝度（光源２６の出力）で行うことにより、光センサ２４の出力信号ｙと、最高輝度Ｌｍａｘ  および最低輝度Ｌｍｉｎ  との関係を調べる。
【００３３】
ＬＣＤ１２に変動がなければ、表示装置１０の最高輝度Ｌｍａｘ  および最低輝度Ｌｍｉｎ  は、図２（Ｂ）に示されるように、バックライトの輝度すなわち光センサ２４の出力信号ｙに比例する。すなわち、最高輝度Ｌｍａｘ  と出力信号ｙとの比例定数をａ、最低輝度Ｌｍｉｎ  と出力信号ｙとの比例定数をｂとすると、「Ｌｍａｘ  ＝ａｙ」、「Ｌｍｉｎ  ＝ｂｙ」となる。
【００３４】
従って、予め、図２（Ｂ）の関係や、比例定数ａ（以下、最高輝度係数ａとする）および比例定数ｂ（以下、最低輝度係数ｂとする）を調べておき、前述のように、ＬＣＤ１２を黒表示、バックライトｏｎとして光センサ２４によってバックライトを測定することにより、この測定結果すなわち光センサ２４の出力信号ｙから、ＬＣＤパネル１２の最高輝度Ｌｍａｘ  および最低輝度Ｌｍｉｎ  を検出することができる。
【００３５】
表示装置１０において、制御部２２は、前述のようにして算出した反射輝度係数ｋ２  、最高輝度係数ａおよび最低輝度係数ｂを記憶している。
制御部２２は、外部入力された指示等に応じて、ＬＣＤ１２を白表示、バックライトｏｆｆにして、光センサ２４で外光を測定して、出力信号ｘおよび反射輝度係数ｋ２  を用いて、ＬＣＤ１２（表示装置１０）の表面反射輝度Ｌａｍｂ  を検出し、また、ＬＣＤ１２を黒表示、バックライトｏｎにして、光センサ２４でバックライトを測定して、出力信号ｙならびに最高輝度係数ａおよび最低輝度係数ｂを用いて、表示装置１０の最高輝度Ｌｍａｘ  および最低輝度Ｌｍｉｎ  を検出する。
【００３６】
すなわち、本発明によれば、望遠輝度計等を用いることなく、外光やバックライトを測定して、ＬＣＤ１２の表面反射輝度や、表示装置１０の最高輝度および最低輝度を検出できるので、表示装置１０の品質管理を簡易な操作で簡便に行うことができる。
【００３７】
表示装置１０においては、（輝度階調）キャリブレーションを行う際には、制御部２２は、前述のようにして、ＬＣＤ１２の表面反射輝度Ｌａｍｂ  、ならびに、表示装置１０の最高輝度Ｌｍａｘ  および最低輝度Ｌｍｉｎ  を検出して、階調補正部２０の階調補正ＬＵＴを更新する。前述のように、表示装置１０は、ＤＩＣＯＭのＧＤＳＦ階調の画像表示を行うものであるので、制御部２２は、
Ｌｍａｘ  ’＝Ｌｍａｘ  ＋Ｌａｍｂ  
Ｌｍｉｎ  ’＝Ｌｍｉｎ  ＋Ｌａｍｂ  
によって、Ｌｍｉｎ  ’〜Ｌｍａｘ  ’の表示装置１０の輝度レンジを算出し、この輝度レンジでＧＳＤＦ階調となるように階調を割り当てて、階調補正部２０の階調補正ＬＵＴを更新し、キャリブレーションを行う。なお、この階調の割り当て等は、公知の方法によればよい。
すなわち、本発明によれば、望遠輝度計等を用いることなく、簡易な操作で表示装置１０のキャリブレーションを行うことができる。
【００３８】
以上、本発明の光測定方法および画像表示装置について詳細に説明したが、本発明は上記実施例に限定はされず、本発明の要旨を逸脱しない範囲において、各種の改良や変更を行ってもよいのは、もちろんである。
例えば、以上の例では、ＬＣＤ１２の表面反射輝度、表示装置１０の最高輝度および最低輝度を検出するために、係数（関数）を用いていたが、本発明は、これに限定はされず、同様の測定によって作成したＬＵＴを用いて、表面反射輝度等を検出するようにしてもよい。
【００３９】
【発明の効果】
以上、詳細に説明したように、本発明によれば、ＬＣＤ等の非発光の透過型ディスプレイを用いる画像表示装置において、望遠輝度計などの外部の輝度計を用いることなく、簡便に表面反射輝度、最高輝度や最低輝度の測定を行うことができ、ディスプレイの品質管理の作業性を大幅に向上できる。
【図面の簡単な説明】
【図１】本発明の画像表示装置の一例の概念図である。
【図２】（Ａ）および（Ｂ）は、本発明による表面反射輝度、最高輝度および最低輝度の検出を説明するためのグラフである。
【符号の説明】
１０  （画像）表示装置
１２  ＬＣＤ（液晶ディスプレイ）
１４  バックライトユニット
１６  ＬＣＤドライバ
１８  光源ドライバ
２０  階調補正部
２２  制御部
２４  光センサ
２６  光源
２８  導光板
３０  アンプ
３２  Ａ／Ｄ変換器
【図１】
2004240260.tif 000003
【図２】
2004240260.tif 000004